(57)【要約】  本発明にかかる本航空機は、操縦室(８)の下に配置される貨物室(１１)内に私用休憩室(１４)を備えている。この私用休憩室(１４)は操縦室(８)の床(２Ａ)につくられた少なくとも１つの開口部(１２)を通じて操縦室(８)とつながっている。【選択図】    図１
2008542105.tif 000002
【特許請求の範囲】
【請求項１】
操縦士のための乗員休憩室を備える長距離航空機であって、操縦室がその床下に貨物室のある床に配置され、その乗員休憩室が前記貨物室内に配置されて、その床につくられた少なくとも１つの開口部を通じて前記操縦室とつながっていることを特徴とするもの。
【請求項２】
請求項１に記載の長距離航空機であって、前記乗員休憩室内が、複数の別個の要素を備え、その各要素は前記床の開口部を通ることができ、前記貨物室の内部で互いに組み立てられることができることを特徴とするもの。
【請求項３】
請求項１または２に記載の長距離航空機であって、前記床の開口部が長円形の形状であることを特徴とするもの。
【請求項４】
請求項３に記載の長距離航空機であって、前記床の開口部が胴体に対して横断していることを特徴とするもの。
【請求項５】
請求項２から４のいずれか１項に記載の長距離航空機であって、前記別個の各要素が１つ以上の平面を有することを特徴とするもの。
【請求項６】
請求項１から５のいずれか１項の長距離航空機であって、前記乗員休憩室が、前記航空機の前部に向かって集中する、平面視で少なくとも略台形の形状であることを特徴とするもの。
【請求項７】
請求項１から６のいずれか１項に記載の長距離航空機であって、前記乗員休憩室が、その上部に、床の前記開口部を見えなくし、床をつなげる突出部を備え、その突出部が、操縦室と乗員休憩室との間に少なくとも１つの連絡出入口扉を備えることを特徴とするもの。
【請求項８】
請求項２から７のいずれか１項に記載の長距離航空機であって、前記別個の各要素が、シャッターによって隠される少なくとも１つの開口部を備えていることを特徴とするもの。
【請求項９】
請求項１から８のいずれか１項に記載の長距離航空機であって、前記乗員休憩室が、２名の人間が座り、隣り合って、脚を航空機の前方に向けた状態で横になることができるようになされていることを特徴とするもの。
【発明の詳細な説明】
【技術分野】
【０００１】
本発明は、長距離用航空機に関するものである。
【背景技術】
【０００２】
飛行距離が特に長距離のとき、長距離航空機では２名の搭乗員を必要とされるということは既知である。したがって、その搭乗員(少なくとも２名の操縦士)のうちの一人が、もう一人の操縦士が航空機を操縦している間、休息することのできる、乗員休憩室を航空機に備えておくことは不可欠である。一般的な規則として、そのような休憩室は例えば操縦室の後ろや飛行機の後尾部などの営業領域に配置されており、操縦士が客室を通り抜け、操縦室から休憩室に行き、またそこから戻ってこなければならないという不都合がある。さらに、そのような配置では、前記休憩室は前記営業領域の一部を占有し、その結果、通常およそ６席から８席の、ある程度の数の客席が取り除かれる。
【発明の開示】
【発明が解決しようとする課題】
【０００３】
本発明の目的は、これらの不都合を解消することである。
【課題を解決するための手段】
【０００４】
この目的のために、本発明によると、本長距離用航空機は操縦士のための乗員休憩室を備え、かつ操縦室をその下側に貨物室を形成した床に配置したものであって、前記乗員休憩室が前記貨物室内に配置され、その休憩室が前記の操縦室と、操縦室の床に作られた少なくとも１つの開口部を通じてつながっているという点を特徴とする。
【０００５】
よって、前記操縦士は、客室を通過することなく、操縦室から乗員休憩室へ直接行くことができ、そのまた逆も可能である。したがって本発明は、操縦士の飛行機能と休息機能を共に位置的にまとめることによって、搭乗員全員を、機内のそれ以外の搭乗客から分離するために利用されることが可能である。さらに、本発明による休憩室の配置によって、営業領域の容量と席数を増すことが可能となり、それらの増加は航空機を経営する航空会社にとってはもちろん経済的に価値のあることである。
【０００６】
操縦室の下に配置された前記貨物室には、通常、バッテリー、酸素ボンベ、氷結防止システム、電気装置、レーダーシステムなどの、設備があり、その結果、前記休憩室が存在することによって、前記設備の移動または再配置が求められる。
【０００７】
操縦室下の貨物室への前記乗員休憩室の設置を容易にするために、前記乗員休憩室は、複数の別個の要素を備え、それらの各要素は床の前記開口部を通り抜けることができ、前記貨物室内で互いに組み立てられることができることが望ましい。前記別個の要素を組み立てる間、前記乗員休憩室は、前記貨物室を構成する胴体の構造部分の縦レールおよび／または横フレームに取り付けられることが明らかに好ましい。さらに、前記乗員休憩室は、操縦室の床に装着されるのが好ましい。貨物室内で乗員休憩室を装着するために使用される装着手段は、例えば、連接クランクアームや弾力性のあるブロックなどのついた装着手段のように、ある程度の自由がきく既知のタイプのものが好ましい。
【０００８】
前記壁の要素が、前記床の開口部を容易に通過することを可能にするために、開口部は、例えば少なくとも大体長方形の、長円形をしている。さらに、操縦室の床を弱めることを避けるために、前記開口部は胴体に対して横断しているのが望ましい。
【０００９】
その結果、別個の各要素が比較的平らで、それらが前記貨物室に挿入されるのに、より小さいサイズの開口部しか必要としないということが好ましい。
【００１０】
航空機の機首近辺に前記乗員休憩室が位置するために、航空機機首は航空機前部に向かって集中している平面視少なくとも略台形の形をしている。
【００１１】
前記乗員休憩室は、その上部では、前記床の開口部を見えなくし、床をつなげる突出部を備え、その突出部には、操縦室と乗員休憩室の間の少なくとも１つの連絡出入口扉(ハッチ)がある。
【００１２】
前記乗員休憩室の外側にある前記貨物室内の種々の設備品目の検査とメンテナンスを可能にし、安全基準(例えば、２つの緊急避難ルートの必要性)を満たすために、前記別個の各要素には、シャッターによって隠すことのできる少なくとも１つの開口部がある。
【００１３】
前記乗員休憩室は、２名の人間(操縦士)が座り、脚を航空機前部に向けて互いに並んで横になることが可能なように配置されることが望ましい。
【発明を実施するための最良の形態】
【００１４】
添付の図面によって、本発明がいかに実施されるかが明確に説明される。これらの図面では、同一参照番号は同一要素を表す。
概略図１および２は、長距離航空機の前部１を示す。胴体３を上部空間４と下部空間５に区分する水平で長手方向の床２が示されている。上部空間４は、仕切り６、７によって、操縦室８、入口９、および客室１０に区画して配置されている。下部空間５では、貨物室が配置されており、操縦室８下に配置され、前記操縦室８の床を形成している床２の前部２Ａによって操縦室と分離されている、貨物室１１だけが示されている。
【００１５】
操縦室８と入口９を区分する仕切り６の近辺では、操縦室８の床２Ａは、床２Ａを通って操縦室８と貨物室１１の間に連絡通路を形成する開口部１２を有する。図２および図４に見られるように、前期開口部１２は長方形で、胴体３に対して横断している。
【００１６】
本発明によると、本発明による長距離航空機は、貨物室１１に配置され、床２Ａに作られた前記開口部１２を通って操縦室８とつながっている乗員休憩室１４を備える。
【００１７】
図３に示される通り、前記乗員休憩室１４は、複数の別個の要素１５、とりわけ、底部要素１５.１、前部要素１５.２、後部要素１５.３、側方要素１５.４および１５.５、そして天井要素１５.６および１５．７からなる。前記別個の要素１５の全ては、床２Ａの開口部１２を通り、前記休憩室１４を形成するために貨物室１１の内部で互いに組み立てられることができる。これら別個の要素１５は、１つ以上の平面を有するのが好ましい。
【００１８】
図５Ａ、５Ｂおよび５Ｃは、それぞれ例として、底部要素１５.１、前部要素１５.２、天井要素１５.６の、開口部１２を通っての貨物１１への挿入を示す。
【００１９】
前記要素１５が、貨物室１１の内部で組み立てられた後、乗員休憩室１４は、図６または図７で示されている形状になる。さらに、前記要素１５の少なくともいくつかは、図示略の何らかの既知の方法で、胴体３の枠１６および縦ビーム１７、および／または床２Ａに、貨物室１１内で乗員休憩室１４が動かないように取り付けられる。
【００２０】
いったん組み立てられると、平面図上では、乗員休憩室１４は、航空機の前部に集中する、少なくとも略台形の形状になり、それによって、貨物室１１の容積を最もよく占有することが可能になる。
【００２１】
図５Ｃおよび６に見られるように、天井要素１５.６は、休憩室１４に向かう突出部を形成し、その突出部は床２Ａの開口部１２を見えなくし、操縦室８内において床２Ａをつなげる。さらに、天井要素１５.６は、(開口部１２に収容された)２つの連絡出入り口扉１８を備え、操縦室８と乗員休憩室１４との間の連絡ができるようにしてある。
【００２２】
図８は、梯子２１でもって、連絡出入り口扉１８を通り、乗員休憩室１４から操縦室８へと移動する操縦士の通路を概略的に示す。反対方向への通路も当然、同様の方法でつくられる。
【００２３】
さらに、別個の各要素１５は、シャッター２０によって隠される少なくとも１つの開口部１９を備え、前記乗員休憩室１４と貨物室１１の間の連絡を可能にする。
【００２４】
図８および９Ａから９Ｆの図示では、休憩室１４は２名の人間(特に操縦士と副操縦士)を快適に受け入れられるように配置されている。従って、休憩室１４の配置は主に、長距離航空機の前方に向かって隣り合って配置された２つの座席２２と、ベッドの役目を果たすことのできる２つの折り畳み式長いす２３を備える。よって、このような配置により、２名の人間が座り、そして／または、隣り合って、脚を航空機の前方に向けた状態で横になることが可能になる。
【００２５】
当然、乗員休憩室１４は、ビデオスクリーン２４、テーブル２５、出入り口１８と同じ休憩室１４の高さを増すことができるように天井要素１５.６の出入口扉１８に組み合わせられた折り畳み式カバー２６、移動可能な仕切り２７のような他の数々の便利な装置を備えることができる。図８および９Ａから９Ｆはこれらの装置のいくつかと、乗員休憩室１４内で操縦士が取ることのできる様々な位置を示している。
【図面の簡単な説明】
【００２６】
【図１】本発明による長距離航空機前部の概略側面図である。
【図２】図１に対応する概略平面図である。
【図３】分解図で、本発明による操縦士のための私用休憩室を図示する。
【図４】図１および図２に示す長距離航空機の操縦室の床の概略平面図を示す。
【図５】操縦室の下に配置された貨物室内の前記乗員休憩室の取り付け状態を示し、図５Ａ、５Ｂおよび５Ｃはそのの３つの段階を説明する。
【図６】上部からの斜視図で、本発明に係る乗員休憩室が(前記貨物室の外側に)取り付けられた状態を示す。
【図７】下部からの斜視図で、、本発明に係る乗員休憩室が(前記貨物室の外側に)取り付けられた図６とはわずかに異なる状態を示す。
【図８】本発明による乗員休憩室のさまざまな配置と利用法を示す。
【図９】本発明による乗員休憩室のさまざまな配置と利用法を示す。
【図１】
2008542105.tif 000003
【図２】
2008542105.tif 000004
【図３】
2008542105.tif 000005
【図４】
2008542105.tif 000006
【図５】
2008542105.tif 000007
【図６】
2008542105.tif 000008
【図７】
2008542105.tif 000009
【図８】
2008542105.tif 000010
【図９】
2008542105.tif 000011
【国際調査報告】
2008542105.tif 000012
2008542105.tif 000013
2008542105.tif 000014
2008542105.tif 000015
2008542105.tif 000016
2008542105.tif 000017